(57)【要約】      （修正有）【課題】流体を収集することで、駆動力を増加し、且つ気流或いは水流の駆動に適する発電システムを提供する。【解決手段】発電システムは、発電機１と、転動機構２とを包含する。転動機構は、回転軸２０と、駆動モジュール２１とを包括し、回転軸は発電機に転動可能に接続し、駆動モジュールは回転軸と接続し、駆動モジュールは風杯２２を有し、風杯はシェル体２２１と方向制御ユニット２３を有する。シェル体は前方開口部２２２、後方開口部２２３及び前方開口部と後方開口部との間に周壁を形成し、方向制御ユニットはシェル体に設けられ、前方開口部から後方開口部に流動する流体に対しては閉鎖し、後方開口部から前方開口部に流動する流体に対しては開放する。これにより、駆動モジュールは流体を収集し、大きな駆動力で回転軸を単方向に転動する。【選択図】図２
0003193286.tif 000002
【実用新案登録請求の範囲】
【請求項１】
機械エネルギーを電気エネルギーに転換することができる発電機と、
機械エネルギーを発生させるために用いる転動機構とを包含する発電システムであって、
そのうち、前記転動機構は、前記発電機に転動可能に接続する回転軸と、前記回転軸と接続する少なくとも一つの駆動モジュールとを包括しており、前記駆動モジュールは風杯を有し、前記風杯はシェル体と方向制御ユニットとを有し、前記シェル体は前方開口部、後方開口部及び前記前方開口部と前記後方開口部との間に位置する周壁を形成し、前記方向制御ユニットは前記シェル体に設けられ、前記前方開口部から前記後方開口部に流動する流体に対しては、閉鎖の効果を有し、前記後方開口部から前記前方開口部に流動する流体に対しては、開放の効果を有し、前記駆動モジュールは前記流体の駆動を受けて前記回転軸の単方向転動を連動することで機械エネルギーを供給することを特徴とする発電システム。
【請求項２】
前記方向制御ユニットは、前記シェル体の前記前方開口部と前記後方開口部との間にある周壁上に設けることを特徴とする請求項１に記載の発電システム。
【請求項３】
前記方向制御ユニットは、前記シェル体の前記後方開口部上に設けることを特徴とする請求項１に記載の発電システム。
【請求項４】
前記方向制御ユニットは、前記シェル体において縦横に交差し合う仕切を有しており、前記仕切は、前記シェル体上に少なくとも一つの貫通孔を仕切り、且つ対応する前記貫通孔に可動パネルを設けており、前記可動パネルは前記シェル体内部で回動するように前記貫通孔を単方向に開放することを特徴とする請求項１乃至３のいずれか一つに記載の発電システム。
【請求項５】
前記仕切は、前記前方開口部から前記後方開口部に向かって徐々に幅が狭くなる形態を形成することで、前記後方開口部から前記前方開口部に流動する流体からなる抵抗力を低減することを特徴とする請求項４に記載の発電システム。
【請求項６】
前記方向制御ユニットは、可動ブレードをさらに有し、前記可動パネルを前記シェル体に回動可能に接続することを特徴とする請求項４に記載の発電システム。
【請求項７】
前記シェル体の一部にある前記可動パネル及び前記貫通孔は、前記シェル体に相対して傾斜するように枢設する形態となることを特徴とする請求項４に記載の発電システム。
【請求項８】
少なくとも一部の前記可動パネルは、前記シェル体との間に前記可動パネルの開閉を駆動することができる弾性部材を設けることを特徴とする請求項４に記載の発電システム。
【請求項９】
前記駆動モジュールは、少なくとも一つの接続ロッドをさらに有することで、前記風杯と前記回転軸とを接続することを特徴とする請求項１乃至８のいずれか一つに記載の発電システム。
【請求項１０】
前記シェル体は、前記前方開口部から前記後方開口部に向かって徐々に縮小するため、前記前方開口部は前記後方開口部より大きいことを特徴とする請求項１乃至９のいずれか一つに記載の発電システム。
【請求項１１】
前記風杯は、漏斗の形を形成することを特徴とする請求項１０に記載の発電システム。
【請求項１２】
前記発電機は、流体上の浮動キャリアに設けることができ、前記発電機の回転軸は前記浮動キャリアの下方に向かって延在するため、前記駆動モジュールは前記流体内に位置することを特徴とする請求項１乃至１１のいずれか一つに記載の発電システム。
【考案の詳細な説明】
【技術分野】
【０００１】
本考案は、発電システムであって、特に流体駆動により機械エネルギーを発生し、さらにそれを電気エネルギーに転換する発電システムに関するものである。
【背景技術】
【０００２】
従来の発電システムの多くは、固定した媒介によって発電しており、例えば、風力発電機は、風力の推進によって機械エネルギーを発生し、水力発電は海流の推進力によって機械エネルギーを発生しており、これによって電気エネルギーの転換をさらに行っている。そのため、陸地上及び海面下における発電システムは、通常、異なる構成の駆動装置を用いて機械エネルギーを発生させている。
【０００３】
例えば、図１のような風力推進装置が特許文献１で掲示しており、前記風力推進装置は、台座３と、架台４と、伝動軸５と、ブレード構成６とを包含している。前記ブレード構成６は、本体６１と、前記本体６１と接続する少なくとも一つのブレード６２とを包括している。前記ブレード６２は、フレーム６２１と、少なくとも一つの単方向カバー６２２と、可動バッフル６２３を有している。前記フレーム６２１は、中空フレーム体であって、前記可動バッフル６２３は前記単方向カバー６２２に一定の弾力を有するバッフル制限を有している。前記架台４は中空管体であって、前記台座３上に設置しており、前記伝動軸５は、前記架台４の内部を貫設し、その一端に前記ブレード構成６の前記本体６１と結合し合うことで、前記ブレード構成６を前記架台４上に枢設し、発生した動力を前記伝動軸５によって出力している。前記台座３は発電機７を設け、前記伝動軸５はもう一端に前記発電機７の入力端と結合し合い、前記風力推進装置によって、前記ブレード構成６の前記ブレード６２で風力の推進を受けた後、機械エネルギーに転換し、前記本体６１を介して前記転動軸５の回転を駆動することで、前記発電機７の発電を稼働している。
【０００４】
しかし、上述の特許文献１にある前記ブレード６２は平面状を呈する構成のため、流体を収集することができず、直接前記ブレード６２に向かって流れる風力、即ち、正方向の風力を利用して前記ブレード６２を推進することしかできず、正方向の風力が弱い場合、前記ブレード６２を推進することができない。つまり、前記ブレード６２の推進には、強い正方向の風力が必要である。また、前記ブレード６２は、風を受ける面積を大きくするため、風向きに基づいて角度を調整しないと、風力の推進の効果を増加できないため、このような構成は水力駆動には適していない。
【先行技術文献】
【特許文献】
【０００５】
【特許文献１】台湾特許公報第２０１００７０１２号
【考案の概要】
【考案が解決しようとする課題】
【０００６】
そのため、本考案の目的は、発電システムを提供することであって、特に流体を収集することで、駆動力を増加し、且つ気流或いは水流の駆動に適する発電システムに関するものである。
【課題を解決するための手段】
【０００７】
上述の目的を達成するため、本考案の発電システムは、機械エネルギーを電気エネルギーに転換することができる発電機と、機械エネルギーを発生させるために用いる転動機構とを包含しており、そのうち、前記転動機構は、前記発電機に転動可能に接続する回転軸と、前記回転軸と接続する少なくとも一つの駆動モジュールとを包括しており、前記駆動モジュールは風杯を有し、前記風杯はシェル体と方向制御ユニットとを有し、前記シェル体は前方開口部、後方開口部及び前記前方開口部と前記後方開口部との間に位置する周壁を形成し、前記方向制御ユニットは前記シェル体に設けられ、前記前方開口部から前記後方開口部に流動する流体に対しては、閉鎖の効果を有し、前記後方開口部から前記前方開口部に流動する流体に対しては、開放の効果を有し、前記駆動モジュールは前記流体の駆動を受けて前記回転軸の単方向転動を連動することで機械エネルギーを供給している。
【０００８】
上述の主要な構成特徴によれば、前記方向制御ユニットは、前記シェル体の前記前方開口部と前記後方開口部との間にある周壁上に設けることができ、また前記シェル体の前記後方開口部上に設けることもできる。
【０００９】
上述の主要な構成特徴によれば、前記方向制御ユニットは、前記シェル体において縦横に交差し合う仕切を有しており、前記仕切は、前記シェル体上に少なくとも一つの貫通孔を仕切り、且つ対応する前記貫通孔に可動パネルを設けており、前記可動パネルは前記シェル体内部で回動するように前記貫通孔を単方向に開放している。
【００１０】
上述の主要な構成特徴によれば、前記仕切は、前記前方開口部から前記後方開口部に向かって徐々に幅が狭くなる形態を形成することで、前記後方開口部から前記前方開口部に流動する流体からなる抵抗力を低減している。
【００１１】
上述の主要な構成特徴によれば、前記方向制御ユニットは、可動ブレードをさらに有しており、前記可動パネルを前記シェル体に回動可能に接続している。
【００１２】
上述の主要な構成特徴によれば、前記シェル体の一部にある前記可動パネル及び前記貫通孔は、前記シェル体に相対して傾斜するように枢設する形態となっている。
【００１３】
上述の主要な構成特徴によれば、少なくとも一部の前記可動パネルは、前記シェル体との間に前記可動パネルの開閉を駆動することができる弾性部材を設けている。
【００１４】
上述の主要な構成特徴によれば、前記駆動モジュールは、少なくとも一つの接続ロッドをさらに有することで、前記風杯と前記回転軸とを接続している。
【００１５】
上述の主要な構成特徴によれば、前記シェル体は、前記前方開口部から前記後方開口部に向かって徐々に縮小するため、前記前方開口部は前記後方開口部より大きい。
【００１６】
上述の主要な構成特徴によれば、前記風杯は、漏斗の形を形成している。
【００１７】
上述の主要な構成特徴によれば、前記発電機は、流体上の浮動キャリアに設けることができ、前記発電機の回転軸は前記浮動キャリアの下方に向かって延在するため、前記駆動モジュールは前記流体内に位置している。
【考案の効果】
【００１８】
本考案の効果は、前記風杯によって正方向及び非正方向の流体を収集する設計、及び前記シェル体上において前記方向制御ユニットを設置する単方向に引導する設計であって、正方向の流体を利用して駆動力を増加させるだけでなく、非正方向の流体をさらに利用して駆動力を増加しているため、たとえ正方向の流体の流量がすくなったとしても、回転軸の転動を駆動することができ、安定した機械エネルギーを供給するので前記発電機は持続的に発電することができ、電力の生産量を増加させている。また、前記転動機構の全体の構成は気流駆動或いは水流駆動に適しているので、例えば、海や河川等の陸地上及び水面下に設置することができ、使用できる範囲をさらに増加させ、自然界にある流体の動力を十分に利用して発電することができる。
【００１９】
本考案をより明確且つ十分に開示するため、好ましい実施例の図面とともに、以下において、詳細な説明を行う。
【図面の簡単な説明】
【００２０】
【図１】先行技術を示す斜視図である。
【図２】本考案の好ましい実施例を示す斜視図である。
【図３】図２で図示されている風杯を示す斜視図である。
【図４】図３で図示されている風杯をもう一つの方向から示す斜視図である。
【図５】図２のもう一つの実施形態を示す斜視図である。
【図６】図２のもう一つの使用状態を示す斜視図である。
【考案を実施するための形態】
【００２１】
まず、図２から図４を併せて参照すると、本考案の実施方法を開示する図面であって、上述の図面の簡単な説明から本考案の発電システムが分かる。本実施例では、風力発電に適用し、前記発電システムは、発電機１と、転動機構２とが包含している。前記発電機１は機械エネルギーを電気エネルギーに転換することができ、これは周知技術であるため、ここでは詳しく説明しない。前記転動機構２は、機械エネルギーを生成するために用いられ、且つ前記転動機構２は、回転軸２０と、少なくとも一つの駆動モジュール２１とを包括している。
【００２２】
図２のとおり、前記回転軸２０は前記発電機１に転動可能に接続しており、前記発電機１は、本実施例において、例えば地面等の座面（図示されていない）上に設けることができ、これによって、前記回転軸２０は前記発電機１の上部に垂直に枢設している。前記駆動モジュール２１は複数設けることができ、それぞれ等間隔をおいて前記回転軸２０と接続し、各前記駆動モジュール２１は箱形の形状をした風杯２２と、少なくとも一つの接続ロッド２４とを有している。
【００２３】
図３及び図４のとおり、前記風杯２２はシェル体２２１と方向制御ユニット２３とを有しており、前記接続ロッド２４は前記風杯２２の前記シェル体２２１と前記回転軸２０とを接続するために用いられている。前記シェル体２２１の両端は、連通し合う前方開口部２２２及び後方開口部２２３と、前記前方開口部２２２と前記後方開口部２２３との間に位置する周壁をそれぞれ形成しており、且つ前記シェル体２２１は前記前方開口部２２２から前記後方開口部２２３に向かって徐々に縮小するため、前記前方開口部２２２の面積は前記後方開口部２２３の面積より大きい。前記方向制御ユニット２３は、前記シェル体２２１に設けられ、前記前方開口部２２２から前記後方開口部２２３に流動する流体に対しては、閉鎖の効果を有し、前記後方開口部２２３から前記前方開口部２２２に流動する流体に対しては、開放の効果を有している。
【００２４】
前記方向制御ユニット２３は、前記シェル体２２１の前記後方開口部２２３上に設けることができ、前記方向制御ユニット２３は、前記シェル体２２１において縦横に交差し合う複数の後方仕切２２４を有しており、前記後方仕切２２４は、前記シェル体２２１の後方開口部２２３に少なくとも一つの後方貫通孔２２５を仕切り、前記後方貫通孔２２５は本実施例において複数設けることができる。また、前記方向制御ユニット２３は、前記後方貫通孔２２５に対応して後方可動パネル２３１を設けており、これにより前記後方可動パネル２３１を前記後方貫通孔２２５内に阻止し、且つ前記方向制御ユニット２３は後方可動ブレード２３２をさらに有しており、前記後方可動ブレード２３２は前記後方可動パネル２３１を前記シェル体２２１に回動可能に接続することで、前記後方可動パネル２３１が前記シェル体２２１内部に向かって回動するように前記後方貫通孔２２５を単方向に開放している。
【００２５】
また、前記方向制御ユニット２３は、前記シェル体２２１の前記前方開口部２２２と前記後方開口部２２３との間にある周壁上に設けることもでき、前記シェル体２２１の周壁は複数の側方開口部２２６をそれぞれ設けることで、前記側方開口部２２６が前記前方開口部２２２と前記後方開口部２２３との間に位置している。前記方向制御ユニット２３は、前記シェル体２２１において縦横に交差し合う複数の側方仕切２２７を有しており、前記側方仕切２２７は、前記シェル体２２１の側方開口部２２６に少なくとも一つの側方貫通孔２２８を仕切り、前記側方貫通孔２２８は本実施例において複数設けることができる。また、前記方向制御ユニット２３は、前記側方貫通孔２２８に対応して側方可動パネル２３３を設けており、これにより前記側方可動パネル２３３を前記側方貫通孔２２８内に阻止し、且つ前記方向制御ユニット２３は側方可動ブレード２３４をさらに有しており、前記側方可動ブレード２３４は前記側方可動パネル２３３を前記シェル体２２１に回動可能に接続することで、前記側方可動パネル２３３が前記シェル体２２１内部に向かって回動するように前記側方貫通孔２２８を単方向に開放している。
【００２６】
具体的な実施例において、前記シェル体２２１上の一部の箇所は、例えば前記シェル体２２１の両側面にある前記側方可動パネル２３３及び前記側方貫通孔２２８を前記シェル体２２１に相対して傾斜するように枢設する形態となることで、前記側ブレード２３４の軸心線と前記回転軸２０の軸心線との間に狭角を有し、前記側方可動パネル２３３は流体駆動がない状況下において、前記側方可動パネル２３３自身の重さを受けて前記側方貫通孔２２８を閉鎖している。また、前記シェル体２２１の少なくとも一部の箇所、例えば前記シェル体２２１の上面及び／或いは底面にある前記側方可動パネル２３３は、前記シェル体２２１の内壁との間に弾性部材２３５を設け、流体が前記側方可動パネル２３３を駆動していない状況下において、前記弾性部材２３５は前記側方可動パネル２３３を弾性駆動して前記側方貫通孔２２８を閉鎖することができ、前記弾性部材２３５は、本実施例において、前記側ブレード２３４上に設けるトルクバネとすることができる。
【００２７】
上述した部材で構成することによって、気流或いは水流等の流体が前記前方開口部２２２の前方及び／或いは斜め前方から前記後方開口部２２３の方向に向かって前記シェル体２２１内部まで流動した場合、前記方向制御ユニット２３の複数の前記後方可動パネル２３１の内面は、前記シェル体２２１内の流動駆動をそれぞれ受けることで、前記後方開口部２２３の複数の前記後方貫通孔２２５を閉鎖し、前記後方開口部２２３の前記後方可動パネル２３１の内面にスラスト面を形成し、これにより流体は前記後方可動パネル２３１の内面に形成するスラスト面に対して力が加わって前記風杯２２を推進している。
【００２８】
これと同時に、前記方向制御ユニット２３の複数の前記側方可動パネル２３３の内面は、前記シェル体２２１内の流動駆動をそれぞれ受けることで、前記側方開口部２２６の複数の前記側方貫通孔２２８を閉鎖し、前記側方開口部２２６の前記側方可動パネル２３３の内面にスラスト面を形成し、これにより流体は前記側方可動パネル２３３の内面に形成するスラスト面に対して力が加わって前記風杯２２を推進している。
【００２９】
その期間中、前記前方開口部２２２の前方及び／或いは斜め前方から前記シェル体２２１の上面、底面或いは側面等の外壁まで流動した流体は、上面、底面或いは側面にある前記側方可動パネル２３３を前記シェル体２２１内部に向かって回動するように駆動することができ、前記側方開口部２２６の前記側方貫通孔２２８が開放されて前記シェル体２２１内部に流動するため、前記シェル体２２１の外壁まで流動する流体によって発生する抵抗力を開放し、前記シェル体２２１の外壁まで流動する流体をさらに抜出して前記風杯２２に対する推進力を増加している。
【００３０】
上述した前記前方開口部２２２の前方及び斜め前方から前記後方開口部２２３の方向に向かって流動する流体は、正方向の流体と定義し、前記正方向の流体と逆方向に流動する流体を逆方向の流体と定義する。複数の前記駆動モジュール２１が逆方向の流体にあった場合、前記方向制御ユニット２３の複数の前記後方可動パネル２３１及び一部の前記側方可動パネル２３３は逆方向の流体の駆動をそれぞれ受け、前記後方開口部２２３の複数の前記後方貫通孔２２５及び前記側方開口部２２６の前記側方貫通孔２２８を各自開放し、これにより逆方向の流体は複数の前記後方貫通孔２２５及び前記側方貫通孔２２８から前記シェル体２２１内部に流入し、且つ前記前方開口部２２２を介して流出することで、前記風杯２２が転動する際の抵抗力を低減し、前記風杯２２を前記回転軸２０の単方向だけに周回するように転動することができる。
【００３１】
好ましい実施例において、前記シェル体２２１の前記後方仕切２２４は、前記前方開口部２２２から前記後方開口部２２３に向かって徐々に幅が狭くなる形態を形成することで、前記後方開口部２２３から前記前方開口部２２２に流動する逆方向の流体からなる抵抗力を低減しており、前記側方仕切２２７は、前記シェル体２２１内部から前記シェル体２２１外部に向かって徐々に幅が狭くなる形態を形成することで、前記シェル体２２１外部から前記シェル体２２１内部に流動する逆方向の流体からなる抵抗力を低減している。これと同時に、前記シェル体２２１は、前記前方開口部２２２から前記後方開口部２２３に向かって徐々に縮小するため、これもまた逆方向の流体からなる抵抗力を低減している。
【００３２】
このことから、複数の前記駆動モジュール２１は、流体駆動を受けて前記回転軸２０の単方向転動を連動することができることで、前記発電機１は機械エネルギーから電気エネルギーの転換を供給している。
【００３３】
以上のことから、前記シェル体２２１は環囲する壁面を有するため、前記後方可動パネル２３１の内面にあるスラスト面に直接向かって流動していない流体は、前記シェル体２２１の壁面にあたった後、前記後方可動パネル２３１の内面にあるスラスト面に向かって流動し、また、前記シェル体２２１の壁面にあたった後、前記後方可動パネル２３１の内面にあるスラスト面に垂直な分力を発生することもできる。これにより、たとえ前記後方可動パネル２３１の内面にあるスラスト面に直接向かって流動する流体の流量が少なくとも、前記後方可動パネル２３１の内面にあるスラスト面に直接向かって流動していない流体、例えば前記前方開口部２２２の斜め前方から前記後方開口部２２３に向かって流動する流体を利用して駆動力を増加することができ、前記回転軸２０を安定的に転動することができる。即ち、前記シェル体２２１の付近に一定の流体流動さえあれば、前記風杯２２を駆動して前記回転軸２０の転動を連動することができる。
【００３４】
さらに、各前記駆動モジュール２１は、支持力の増加のため、二つの前記接続ロッド２４より前記風杯２２の前記シェル体２２１及び前記回転軸２０を接続することができ、また一つの前記接続ロッド２４より前記風杯２２の前記シェル体２２１及び前記回転軸２０を接続することもできる。
【００３５】
さらにまた、前記シェル体２２１の前記後方開口部２２３は、縦横に交差し合う複数の前記後方仕切２２４によって複数の前記後方貫通孔２２５を仕切り、且つ複数の前記後方可動パネル２３１より各前記後方貫通孔２２５の単方向の閉鎖を行うことで逆方向の流体の抵抗力を低減している。また、前記後方可動パネル２３１の面積は小さいので、柔軟に回動することで、損傷のリスクを低減している。または、前記シェル体２２１の前記後方開口部２２３に仕切りがなく、大面積の単一後方可動パネルによる単方向の閉鎖で実施してもよい。または、前記後方仕切２２４を縦方向或いは横方向にだけ等間隔に設置してもよい。同様に、前記側方仕切２２７、前記側方貫通孔２２８及び前記側方可動パネル２３３の配置形態を、上述した前記後方仕切２２４、前記後方貫通孔２２５及び前記後方可動パネル２３１のように設けることもできる。
【００３６】
次に、図５を参照すると、もう一つの好ましい実施例において、風杯２２０の形状は漏斗の形で設けることもでき、漏斗の形の前記風杯２２０によって、逆方向の流体による抵抗力を低減する効果を達し、その他の部材構成と実施方法とは上述した実施例を同じである。
【００３７】
次に図６を参照すると、本考案を水力発電に応用した実施形態であって、前記発電機１は、流体上の浮動キャリア８に設けることができ、前記浮動キャリア８は船泊或いは浮標等の水面を浮動することができ且つ前記発電機１を積載できるキャリアとし、前記発電機１は側面方向から二つの前記回転軸２０に接続することができ、前記回転軸２０を短手方向から前記浮動キャリア８に貫通した後、前記浮動キャリア８の下方にある流体に向かって湾曲延在するため、複数の前記駆動モジュール２１は前記浮動キャリア８の下方にある流体内に位置している。このことから、前記浮動キャリア８を海面上、湖面上或いは川面上に設置し、また前記浮動キャリア８を水中の岩等に碇着することで各前記回転軸２０は水中に入り、各前記駆動モジュール２１は水中に沈水する。これにより、水流を利用して各前記風杯２２を駆動して前記回転軸２０を周回するように転動し、その他の部材構成と実施方法とは上述した実施例を同じである。
【産業上の利用可能性】
【００３８】
このことから、各前記駆動モジュール２１が有する前記風杯２２を介して、正方向及び非正方向の流体を利用して駆動力を増加することができ、特に正方向の流体の流量が少ない状況下において、依然として前記後方可動パネル２３１の内面に直接向かって流動していない流体を利用して前記回転軸２０の転動を駆動することができ、安定した機械エネルギーを供給するので前記発電機１は持続的に発電することができ、電力の生産量を増加させている。また、前記転動機構２の全体の構成は、気流駆動或いは水流駆動に適しているので、陸地上及び水面下に設置する事ができ、使用できる範囲をさらに増加させ、自然界にある流体の動力を十分に利用して発電することができるため、本考案の目的を買う実に達成することができる。
【００３９】
なお、上述したものは、本考案の好ましい実施例に過ぎず、本考案を限定するものではなく、本考案が開示した精神を逸脱せずに行った等価の修正或いは置換は、本考案の請求の範囲に属するものである。
【符号の説明】
【００４０】
１        発電機
２        転動機構
２０      回転軸
２１      駆動モジュール
２２      風杯
２２０    風杯
２２１    シェル体
２２２    前方開口部
２２３    後方開口部
２２４    後方仕切
２２５    後方貫通孔
２２６    側方開口部
２２７    側方仕切
２２８    側方貫通孔
２３      方向制御ユニット
２３１    後方可動パネル
２３２    後方可動ブレード
２３３    側方可動パネル
２３４    側方可動ブレード
２３５    弾性部材
２４      接続ロッド
３        台座
４        架台
５        伝動軸
６        ブレード構成
６１      本体
６２      ブレード
６２１    フレーム
６２２    単方向カバー
６２３    可動バッフル
７        発電機
８        浮動キャリア
【図１】
0003193286.tif 000003
【図２】
0003193286.tif 000004
【図３】
0003193286.tif 000005
【図４】
0003193286.tif 000006
【図５】
0003193286.tif 000007
【図６】
0003193286.tif 000008